(57)【要約】      （修正有）【課題】ＩＥＥＥ１５８８（ＰＴＰ）の時刻精度を簡易かつ適切に測定する方法を提供する。【解決手段】グランドマスター装置２と末端装置４とが時刻同期し、スレーブ機能部７により内部時計９の時刻が補正される（Ｓ０１）。また、末端装置４のスレーブ機能部８は、比較用のグランドマスター装置５の時刻情報を取得する（Ｓ０２）。また、スレーブ機能部８は、取得した時刻情報と内部時計の時刻情報とを比較し、時間差を計測する（Ｓ０３）。ここで計測された時間差を記録部１１に時系列に保存し（Ｓ０４）、保存された時間差のデータ群に基づき末端装置４の時刻精度を求める。【選択図】図１
2018078351.tif 000002
【特許請求の範囲】
【請求項１】
第１の時刻情報配信装置と時刻同期する時刻同期処理装置と、
第２の時刻情報配信装置から時刻情報を取得する時刻情報取得手段と、を備えたシステムの時刻精度の測定方法であって、
前記第１の時刻情報配信装置と前記時刻同期処理装置との時刻同期処理に基づき前記時刻同期処理装置の内部時計を補正する時刻同期ステップと、
前記時刻情報取得手段の取得した時刻情報と、前記内部時計の時刻情報との時刻差とを計測して前記時刻精度を求める計測ステップと、
を有することを特徴とする時刻精度の測定方法。
【請求項２】
前記計測ステップにおいて、
前記時刻差の計測を前記時刻同期ステップのタイミングで実行することを特徴とする請求項１記載の時刻精度の測定方法。
【請求項３】
前記計測ステップにおいて、
前記時刻差と併せて前記第２の時刻情報配信装置から取得した時刻情報を保存することを特徴とする請求項１または２記載の時刻精度の測定方法。
【請求項４】
第１の時刻情報配信装置と時刻同期する第１の時刻同期処理装置と、
第２の時刻情報配信装置から時刻情報を取得する第１の時刻情報取得手段と、
前記第１の時刻情報配信装置と時刻同期する第２の時刻同期処理装置と、
第３の時刻情報配信装置から時刻情報を取得する第２の時刻情報取得手段と、を備えたシステムの時刻精度の測定方法であって、
前記第１の時刻情報配信装置と前記第１の時刻同期処理装置との時刻同期処理に基づき前記第１の時刻同期処理装置の内部時計を補正する第１の時刻同期ステップと、
前記第１の時刻情報取得手段が取得した時刻情報と、前記第１の時刻同期処理装置の内部時計の時刻情報との時刻差を計測する第１の計測ステップと、
前記第１の時刻情報配信装置と前記第２の時刻同期処理装置との時刻同期処理に基づき前記第２の時刻同期処理装置の内部時計を補正する第２の時刻同期ステップと、
前記第２の時刻情報取得手段が取得した時刻情報と、前記第２の時刻同期処理装置の内部時計の時刻情報との時刻差を計測する第２の計測ステップと、
前記第１の計測ステップで計測した時刻差と、前記第２の計測ステップで計測した時刻差との差分から前記時刻精度を求める時刻精度ステップと、
を有することを特徴とする時刻精度の測定方法。
【請求項５】
前記第１の計測ステップは、前記時刻差の計測を前記第１の時刻同期ステップのタイミングで実行し、
前記第２の計測ステップは、前記時刻差の計測を前記第２の時刻同期ステップのタイミングで実行する
ことを特徴とする請求項４記載の時刻精度の測定方法。
【請求項６】
前記両計測ステップにおいて、
前記時刻差と併せてそれぞれの時刻情報配信装置から取得した時刻情報を保存することを特徴とする請求項４または５記載の時刻同期の精度測定方法。
【発明の詳細な説明】
【技術分野】
【０００１】
本発明は、ＩＥＥＥ１５８８（ＰＴＰ：Ｐｒｅｃｉｓｉｏｎ  Ｔｉｍｅ  Ｐｒｏｔｏｃｏｌ）の時刻精度を測定する方法に関する。
【背景技術】
【０００２】
電力系統広域保護の分野などでは、ＩＰ系通信の利用により、装置の通信路（伝送路）の共有化や装置間の情報共有などが図られている。このＩＰ系通信の時刻同期方法としてはＩＥＥＥ１５８８（ＰＴＰ）の時刻同期方法が知られている。
【０００３】
このＩＥＥＥ１５８８（ＰＴＰ）の時刻同期方法によれば、マスターからスレーブに時刻配信することでネットワーク上の各装置の時刻を同期させることができる。この時刻同期システムとしては特許文献１が公知となっている。
【０００４】
ところが、ＩＥＥＥ１５８８（ＰＴＰ）の時刻精度は、機材やネットワークの構成あるいは伝送負荷により変動し、また何らかの理由で時刻が同期しない場合もある。これでは電力系統広域保護システムの電流・電圧計測に許容される同期誤差の範囲を満たせないおそれがある。そこで、特に電力系統広域保護システムなどの正確な時刻が要求されるシステムにおいては、要求される精度を満たすか否かを測定する必要がある。
【先行技術文献】
【特許文献】
【０００５】
【特許文献１】特開２００９−１１１６５４
【発明の概要】
【発明が解決しようとする課題】
【０００６】
従来、ＩＥＥＥ１５８８（ＰＴＰ）の精度測定には、次の測定方法（１）〜（３）が用いられていた。
【０００７】
（１）ＩＥＥＥ１５８８（ＰＴＰ）により測定されたマスターとスレーブとの時刻差を表示させて、その変動を観測する。
【０００８】
この時刻差は、マスター・スレーブ間における時計の時刻差ではあるが、マスター・スレーブ間を往復するＰＴＰパケットの伝送時間の変動による誤差を含むので正確ではない。
【０００９】
しかしながら、ＰＴＰ対応の中継装置（例えばＰＴＰ対応のスイッチングＨＵＢなど）を使用すれば、ＴＣ（Ｔｒａｎｐａｒｅｎｔ  Ｃｌｏｃｋ）方式と呼ばれる機能が中継装置内の滞留遅延を計測し、正確に通信遅延を計算することができる。また、マスター・スレーブ間が直結されたネットワーク構成の場合にも伝送遅延の変動はなく時間差として扱うことができる。
【００１０】
ここでグランドマスター（ＧＭ）の時計精度が低いとスレーブは、その変動に対して追従するので、ＩＥＥＥ１５８８（ＰＴＰ）による時間差が常時発生してしまう。スレーブはグランドマスターの内部時計に一致するので、時間差は発生するのに精度は高いという状態となる。また、逆にスレーブ側の内部時計の精度が低い場合にも時間差が大きくなる。
【００１１】
その結果、測定方法（１）によれば、システムにおける伝送遅延や複数のＰＴＰ対応のスイッチングＨＵＢを経由することで悪化した精度は測定可能なものの、グランドマスターの内部時計やスレーブの内部時計の安定度が問題となるレベルの精度は測定することができない。
【００１２】
すなわち、システムがＰＴＰ対応のスイッチングＨＵＢを使用している場合や光ファイバーを直結しているならば伝送時間の遅延は考慮する必要がなく、測定方法（１）の測定結果は信頼することができる。しかし、そうでない場合にはＰＴＰパケットの往復において片方に偏った遅延となっている可能性がある。この場合、その遅延を測定方法（１）では検出できない。
【００１３】
（２）末端装置の近距離にグランドマスターがあれば、１ＰＰＳ信号の時間差をオシロスコープで測定する。
【００１４】
すなわち、１ＰＰＳ信号を出力するグランドマスターが近距離にあれば、スレーブ側の末端装置にて１ＰＰＳ信号をオシロスコープにて測定し、該１ＰＰＳ信号の時間差を計測することができる。
【００１５】
しかしながら、測定方法（２）を用いる場合は、グランドマスターと末端装置とは数メートル程度の距離でなければならず、グランドマスターから遠距離の末端装置については測定できない。
【００１６】
（３）遠距離にグランドマスターがある場合には、別途ＧＰＳなどによるグランドマスターを用意して１ＰＰＳ信号の時間差をオシロスコープで測定する。
【００１７】
この場合にはＧＰＳアンテナを野外に仮設置してアンテナケーブルで接続することとなるが、アンテナケーブルの長さには制限があるため、建物の構造によってはＧＰＳアンテナの設置が困難なことが少なくない。その一方で、１ＰＰＳ信号は長距離にはできず、そのため測定は困難である。
【００１８】
本発明は、このような従来の問題を解決するためになされ、ＩＥＥＥ１５８８（ＰＴＰ）の時刻精度を簡易かつ適切に測定することを解決課題としている。
【課題を解決するための手段】
【００１９】
（１）本発明の一態様は、
第１の時刻情報配信装置と時刻同期する時刻同期処理装置と、
第２の時刻情報配信装置から時刻情報を取得する時刻情報取得手段と、を備えたシステムの時刻精度の測定方法であって、
前記第１の時刻情報配信装置と前記時刻同期処理装置との時刻同期処理に基づき前記時刻同期処理装置の内部時計を補正する時刻同期ステップと、
前記時刻情報取得手段の取得した時刻情報と、前記内部時計の時刻情報との時刻差とを計測して前記時刻精度を求める計測ステップと、
を有する。
【００２０】
（２）本発明の他の態様は、
第１の時刻情報配信装置と時刻同期する第１の時刻同期処理装置と、
第２の時刻情報配信装置から時刻情報を取得する第１の時刻情報取得手段と、
前記第１の時刻情報配信装置と時刻同期する第２の時刻同期処理装置と、
第３の時刻情報配信装置から時刻情報を取得する第２の時刻情報取得手段と、を備えたシステムの時刻精度の測定方法に関する。
【００２１】
この測定方法は、前記第１の時刻情報配信装置と前記第１の時刻同期処理装置との時刻同期処理に基づき前記第１の時刻同期処理装置の内部時計を補正する第１の時刻同期ステップと、
前記第１の時刻情報取得手段が取得した時刻情報と、前記第１の時刻同期処理装置の内部時計の時刻情報との時刻差を計測する第１の計測ステップと、
前記第１の時刻情報配信装置と前記第２の時刻同期処理装置との時刻同期処理に基づき前記第２の時刻同期処理装置の内部時計を補正する第２の時刻同期ステップと、
前記第２の時刻情報取得手段が取得した時刻情報と、前記第２の時刻同期処理装置の内部時計の時刻情報との時刻差を計測する第２の計測ステップと、
前記第１の計測ステップで計測した時刻差と、前記第２の計測ステップで計測した時刻差との差分から前記時刻精度を求める時刻精度ステップと、
を有する。
【発明の効果】
【００２２】
本発明によれば、ＩＥＥＥ１５８８（ＰＴＰ）の時刻精度を簡易かつ適切に測定することが可能となる。
【図面の簡単な説明】
【００２３】
【図１】本発明の第１実施形態に係る測定方法を実行する測定システムの構成図。
【図２】同  第２実施形態の係る測定方法を実行する測定システムの構成図。
【図３】同  第３実施形態に係る測定方法を実行する測定システムの構成図。
【発明を実施するための形態】
【００２４】
以下、本発明の実施形態に係る時刻精度の測定方法を説明する。この測定方法は、主にＩＥＥＥ１５８８（ＰＴＰ）の時刻精度の測定に用いられている。
【００２５】
（１）第１実施形態
第１実施形態の前記測定方法を説明する。図１中の１は、第１実施形態の前記測定方法を実行する測定システムを示している。この測定システム１は、グランドマスター装置２と、グランドマスター装置２にネットワークＮ経由で通信可能に接続されたスレーブ側の末端装置４とを備えている。
【００２６】
このグランドマスター装置２は、クロックソースにＧＰＳ（全地球測位システム）を使用し、ＧＰＳアンテナ３が接続されている。なお、両装置２，４間は、ＰＴＰ対応の中継装置（例えばスイッチングＨＵＢなど）で中継してもよい。
【００２７】
この測定システム１は、末端装置４を時刻精度の測定対象とし、さらに野外にＧＰＳアンテナ６を置き、図示省略の電源と比較用のグランドマスター装置５とが用意されている。このグランドマスター装置５と末端装置４との間は、ＧＰＳの１ＰＰＳ信号が末端装置４まで届かない場合を考慮して仮設置の光ファイバーケーブル６ａにて直結されている。
【００２８】
≪末端装置４の構成例≫
末端装置４は、グランドマスター装置２とＩＥＥＥ１５８８（ＰＴＰ）の時刻同期処理を実行する正規のスレーブ機能部７と、水晶１０の周波数により時刻をカウントする内部時計９と、比較用のスレーブ機能部８と、比較結果を記憶する記憶部１１とを実装している。
【００２９】
この記憶部１１には、ＲＡＭ，フラッシュメモリなどの主記憶装置やＨＤＤ,ＳＳＤなどの補助記憶装置を用いることができる。また、スレーブ機能部８は、グランドマスター装置５との通信の結果、グランドマスター装置５の時刻情報を取得する。
【００３０】
ここで取得されたグランドマスター装置５の時刻情報は、内部時計９の時刻補正に用いられず、内部時計９の時刻情報との時間差の計測に用いられる。また、計測された時間差は、グランドマスター装置５の時刻情報と併せて記憶手段１１に記憶される。
【００３１】
≪前記測定方法の処理ステップ≫
以下、前記測定方法の処理ステップ（Ｓ０１〜Ｓ０４）を説明する。ここでは測定システム１は、既にスレーブ機能部８，グランドマスター装置５，ＧＰＳアンテナ６の設置を完了しているものとする。
【００３２】
Ｓ０１：グランドマスター装置２とスレーブ機能部７との時刻同期処理が実行される。すなわち、スレーブ機能部７は、マスター／スレーブ関係の確立後にグランドマスター装置２との間において、「Ｓｙｎｃメッセージ（同期メッセージ）」，「Ｆｏｌｌｏｗ＿ｕｐメッセージ（同期メッセージ）」，「Ｄｅｌａｙ＿ｒｅｑメッセージ（遅延要求メッセージ）」，「Ｄｅｌａｙ＿ｒｅｓｐメッセージ（遅延応答メッセージ）」を交換する。
【００３３】
この「Ｓｙｎｃメッセージ」，「Ｆｏｌｌｏｗ＿ｕｐメッセージ」，「Ｄｅｌａｙ＿ｒｅｑメッセージ」の送受信の時刻に基づきメッセージ往復の遅延時間と時刻差（クロックのオフセット）とが算出され、算出された時刻に基づき内部時計９の時刻が補正される。例えば内部時計９の水晶１０における１秒間のカウント数を補正して進み方を調整する。このような時刻同期処理からすれば、グランドマスター装置２は時刻情報配信装置といえる一方、末端装置４は時刻同期処理装置といえる。
【００３４】
Ｓ０２：スレーブ機能部８は、ドメイン番号による選択やＩＰアドレスによる選択を通じてグランドマスター装置５を選定する。ここで選定されたグランドマスター装置５とスレーブ機能部８との通信の結果、スレーブ機能部８はグランドマスター装置５の時刻情報を取得する。このときグランドマスター装置５と末端装置４とは、光ファイバーケーブルにより直結されているため、伝送時間の変動の影響は殆どない。
【００３５】
Ｓ０３：スレーブ機能部８は、Ｓ０１で補正された内部時計９の時刻情報と、Ｓ０２で取得した時刻情報とを比較して両時刻情報の時間差を計測する。この時間差は、Ｓ０１の時刻同期処理にて内部時計９の時刻が補正された状態で計測され、時間変動と解釈される。
【００３６】
Ｓ０４：スレーブ機能部８が、Ｓ０３で計測された時間差をＳ０３の計測に用いたグランドマスター５の時刻情報と併せて記憶部１１に記憶させる。これにより記憶部１１には時間差と時刻情報とのペアが時系列に保存される。
【００３７】
ここで記憶部１１に保存された時間差（測定値）のデータには変動が表れており、例えば最大変動値とその分布などを計算することでＩＥＥＥ１５８８（ＰＴＰ）の時刻精度を求めることができる。
【００３８】
その結果、電力系統広域保護システムなどの電流・電圧計測に許容される同期誤差の範囲を満たすか否かを判断することが可能となる。このときシステムにより要求される精度の特性は異なり、例えば最悪値が問題となるシステムであれば、該最悪値が精度として適用される。
【００３９】
この場合にＰＴＰ対応のスイッチングＨＵＢを使用して中継することもできるが、途中に他の時計が介在する分だけ測定精度が低下するおそれがある。また、グランドマスター装置５は、ＧＰＳにより精度は高いが内部では高精度の水晶などが補完するため、その水晶精度の影響も受ける。したがって、前記測定方法により測定できる時刻精度は、こられの精度誤差の影響を受け、これより高い精度で測定することはできない。
【００４０】
一方、ＩＥＥＥ１５８８（ＰＴＰ）による大きなシステムは、高精度なグランドマスター装置２からトランスペアレントのＨＵＢ，バウンダリクロックのＨＵＢなどの複数の機器を経由してＰＴＰパケットが末端装置４へ到達する。
【００４１】
この場合にも途中に介在する各機器の内部に存在する誤差の影響を受けるため、ＰＴＰ対応のスイッチングＨＵＢでも通過する度に精度は悪化していく。この点でスレーブ側の末端装置４にＰＴＰパケットが到達するときには機器の台数に応じて影響が大きくなる。
【００４２】
そうすると前記測定方法では、グランドマスター装置２の水晶などのクロックのジッタに関する精度は測定できないものの、測定対象の末端装置４について次の項目に対する精度確認には十分に用いることができる。
・伝送時間の変動による誤差
・ＰＴＰ対応のスイッチングＨＵＢが機能しているか否か
・複数のＰＴＰ対応のスイッチングＨＵＢを経由したことによる精度悪化の状態
・末端装置４での時間の変動状態の確認
≪前記測定方法の作用効果≫
前記測定方法は、測定対象の前記末端装置４について前記項目の精度確認に十分に用いることができるため、次の効果を得ることができる。
【００４３】
（Ａ）ＩＥＥＥ１５８８（ＰＴＰ）の精度を簡易に測定できる。
１ＰＰＳ信号をオシロスコープで観測する時刻精度の測定方法は、正確ではあるものの、観測環境を用意することができない場合が少なくない。これに対して前記測定方法によれば、ＧＰＳアンテナ６とグランドマスター装置５とを用意する必要はあるものの、前記観測環境は用意する必要がない。この点でＩＥＥＥ１５８８（ＰＴＰ）の時刻精度を簡易に確認することができる。
【００４４】
（Ｂ）末端装置４が遠距離にあっても測定することができる。
確かに１ＰＰＳ信号を出力するグランドマスター装置２と、末端装置４とが近距離にあれば、末端装置４側の１ＰＰＳ信号をオシロスコープで観測し、１ＰＰＳ信号の時間差を計測することは有効な測定方法である。
【００４５】
しかしながら、グランドマスター装置２と末端装置４とが近距離（数メートル）の場合にしか計測することができない。これに対して前記測定方法によれば、グランドマスター装置５と末端装置４とを光ファイバーケーブル６ａで直結できればよく、両装置２，４間の距離は問題とならず、遠距離であってもよい。
【００４６】
このときＧＰＳアンテナ６を野外に設置して長いアンテナケーブルを引き回す必要がない。すなわち、ＧＰＳアンテナ６とグランドマスター装置５とを接続するアンテナケーブルの長さには制限があり、リピータを使い経由するとしても限界がある。この点については、グランドマスター装置５を野外に近い場所に設定し、そこから光ファイバーケーブル６ａで末端装置４に接続すればよい。
【００４７】
（Ｃ）伝送時間の変動や多段に接続されたＰＴＰ対応のスイッチングＨＵＢによる精度悪化を測定できる。
【００４８】
すなわち、末端装置４側にて時間差を表示する方法では、伝送時間の変動が含まれるため、正確ではない。このとき従来は各ＰＴＰ対応のスイッチングＨＵＢが正しく動作していること客観的に確認する方法は採られていない。
【００４９】
これに対して前記測定方法によれば、スレーブ機能部８が取得したグランドマスター装置５の時間情報と比較することから、測定結果の客観性が担保され、時刻精度の測定として適切といえる。
【００５０】
（２）第２実施形態
第２実施形態の前記測定方法を説明する。図２中の１ａは、第２実施形態の前記測定方法を実行する測定システムを示している。ここでは末端装置４はＰＴＰ対応のスイッチングＨＵＢ１８を中継してグランドマスター装置２ａと接続され、グランドマスター装置２ａのクロックソースにはＧＰＳは使用されていなく、グランドマスター装置２ａにＧＰＳアンテナ３は接続されていない。
【００５１】
その一方で別途に測定装置１２と、仮設置された比較用のグランドマスター装置１３とを用意し、測定装置１２にて末端装置４のスレーブ機能部８と同時に精度データ（時間差データ）を収集する。
【００５２】
具体的にはグランドマスター装置１３は、クロックソースにＧＰＳを使用し、ＧＰＳアンテナ１４が接続されている。また、グランドマスター装置１３と末端装置４とは、仮設置の光ファイバーケーブル１４ａにて直結されている。
【００５３】
この測定装置１２は、グランドマスター装置１３とＩＥＥＥ１５８８（ＰＴＰ）の時刻同期処理を実行する正規のスレーブ機能部１５と、グランドマスター装置１３との通信の結果、グランドマスター装置１３の時刻情報を取得する比較用のスレーブ機能部１６と、図示省略の内部時計と、前記精度データを記憶して保存する記憶部１７とを備えている。
【００５４】
このような前記測定システム１ａによれば、末端装置４側ではＳ０１〜Ｓ０３の処理が実行される。その結果、Ｓ０３の計測結果の時間差と、計測に用いた前記グランドマスター５の時刻情報とのペアが記憶部１１に記憶され、時系列に保存される（Ｓ０４）。
【００５５】
この末端装置４側の処理と並行して測定装置１２側では、次の処理が実行される。すなわち、グランドマスター装置２ａとスレーブ機能部１５との時刻同期処理が実行され（Ｓ０５）、測定装置１２の内部時計の時刻が補正される。
【００５６】
このときスレーブ機能部１６は、グランドマスター装置１３の時刻情報を取得し（Ｓ０６）、取得された時刻情報と図示省略の内部時計の時刻情報とを比較して両時刻情報の時間差を計測する。
【００５７】
ここで計測された時間差を該計測に用いたグランドマスター装置１３の時刻情報と併せて記憶部１７に記憶させる（Ｓ０７）。これにより記憶部１７には、時刻差と時刻情報とのペアが時系列に保存される。なお、測定装置１２側の処理は、末端装置４側の処理と同時に実行することが好ましい。
【００５８】
そして、両記憶部１１，１７に保存された時刻差のデータの差分を計測し、該計測結果の差分を精度として用いる（Ｓ０８）。このとき各記憶部１１，１７には、時刻差と時刻情報とがペアとなったデータが保存されているので、時刻情報の一致（あるいは近似）した時刻差同士の差分を計測すればよい。例えば予め閾値を設定し、該閾値以内の誤差であれば同時刻と看做して時間差同士の差分を計測することもできる。
【００５９】
このようにグランドマスター装置２ａのクロックソースにＧＰＳを使用していなくとも、測定装置１２側で前記精度データが収集できれば、第１実施形態と同様な効果を得ることができる。
【００６０】
（３）第３実施形態
第３実施形態の前記測定方法を説明する。図３中の１ｂは、第３実施形態の前記測定方法を実行する測定システムを示している。ここではスレーブ機能部７，８を持たない通常の末端装置４を精度測定の測定対象とし、また測定装置１９が追加されている点で測定システム１ａと相違する。
【００６１】
この測定装置１９は、仮設置の光ファイバーケーブル６ａにてグランドマスター装置５と直結され、スレーブ機能部７，８と、図示省略の内部時計と、記憶部１１とを備えている。したがって、スレーブ機能部７，８によりＳ０１〜Ｓ０３の処理が実行され、記憶部１１にはＳ０３の計測結果の時間差と、計測に用いた前記グランドマスター５の時刻情報とのペアが時系列に保存される（Ｓ０４）。
【００６２】
ここで保存されたＳ０３の時間差と、Ｓ０５〜Ｓ０７の処理で記憶部１７に保存された時間差との差分を計測し、該計測結果の差分データを精度として用いる（Ｓ０７）。これによりスレーブ機能部７，８を持たない通常の末端装置４を測定対象としたＩＥＥＥ１５８８（ＰＴＰ）の時刻精度の測定が可能となる。
【００６３】
なお、本発明は、前記実施形態に限定されるものではなく、各請求項に記載された範囲内で変形して実施することができる。例えば記憶部１１，１７は、各装置４，１２，１９内に実装されている必要は無く、各装置４，１２，１９の外部接続でもよいものとする。また、光ファイバーではなく、イーサネット（登録商標）ケーブルでもよいものとする。
【符号の説明】
【００６４】
１，１ａ，１ｂ…測定システム
２，２ａ…グランドマスター装置（時刻情報配信装置）
３，６，１４…ＧＰＳアンテナ
４…スレーブ装置（時刻同期処理装置）
５，１３…比較用のグランドマスター装置
７，１５…正規のスレーブ機能部
８，１６…比較用のスレーブ機能部（時刻情報取得手段）
９…内部時計
１０…水晶
１１，１７…記憶部
１２…測定装置（時刻同期処理装置）
１９…測定装置
【図１】
2018078351.tif 000003
【図２】
2018078351.tif 000004
【図３】
2018078351.tif 000005